(57)【特許請求の範囲】
【請求項１】
給電点を有し、複数のアンテナを前記給電点から放射状に設けた第１、第２のアンテナ基板と、
これらアンテナ基板の相対向する板面に両端を接して前記各アンテナ基板の間に設けられ、前記各給電点に導電接続された給電基板と、
外部の支持体に固定され、前記各アンテナ基板を対向させて所定間隔で保持するアンテナベースと、
前記各給電点に給電する給電路と、を備え、
前記第１、第２のアンテナ基板と前記給電基板とにより一組のアンテナモジュールを構成し、このアンテナモジュールを複数組備えるとともに、
前記アンテナモジュールの間に分配基板を設けて前記アンテナモジュールをスタックしたことを特徴とする水平偏波無指向性アンテナ装置。
【請求項２】
前記アンテナ基板は、前記アンテナ基板の板面に沿う面内方向の向きを、前記アンテナ基板相互を周方向に所定角度異ならせて前記アンテナベースに保持させる指向調整手段を有していることを特徴とする請求項１に記載の水平偏波無指向性アンテナ装置。
【請求項３】
前記アンテナは、前記給電点に一端が導電接続された給電線路と、前記給電線路の他端に導電接続されたアンテナ素子と、前記アンテナ素子に対応させて設けられた無給電素子と、を備えることを特徴とする請求項１または２に記載の水平偏波無指向性アンテナ装置。
【発明の詳細な説明】
【技術分野】
【０００１】
本発明は、例えば航空機に搭載可能な無線中継伝送装置（ＦＰＵ）に適用して好適な水平偏波無指向性アンテナ装置に関する。
【背景技術】
【０００２】
航空機に搭載される無線中継伝送装置（ＦＰＵ）の送受信アンテナとして、従来では導波管によるスロットアンテナが用いられていた。この導波管によるスロットアンテナは、構造が比較的簡単でかつ堅牢に構成できる反面、機体にかかる重量負担が大きく、設置場所が特定されるなどの課題を有し、特性上においても帯域幅が狭く、使用周波数帯毎に固有の導波管構造が必要になるという課題を有していた。
【先行技術文献】
【特許文献】
【０００３】
【特許文献１】特開２０１４−７８８０５号公報
【発明の概要】
【発明が解決しようとする課題】
【０００４】
本発明は上記実情に鑑みなされたもので、軽量かつコンパクトで周波数帯域特性に優れた水平偏波無指向性アンテナ装置を提供することを目的とする。
【課題を解決するための手段】
【０００５】
本発明は、例えば回転翼機や無人機などの軽航空機に搭載されるテレビジョン放送用無線中継伝送装置（ＦＰＵ）のＦＰＵアンテナに適用して好適な水平偏波無指向性アンテナ装置に係るもので、給電点を有し、複数のアンテナを前記給電点から放射状に設けた第１、第２のアンテナ基板と、これらアンテナ基板の相対向する板面に両端を接して前記各アンテナ基板の間に設けられ、前記各給電点に導電接続された給電基板と、外部の支持体に固定され、前記各アンテナ基板を対向させて所定間隔で保持するアンテナベースと、前記各給電点に給電する給電路と、を備え、前記第１、第２のアンテナ基板と前記給電基板とにより一組のアンテナモジュールを構成し、このアンテナモジュールを複数組備えるとともに、前記アンテナモジュールの間に分配基板を設けて前記アンテナモジュールをスタックしたことを特徴とする。
【０００６】
この構成により、軽量かつコンパクトで、複数のアンテナ基板をアレイ化した、複数のバンド（たとえばＣバンドからＤバンド（6,425MHz〜7,125MHz）に跨る周波数帯域幅）の水平方向により広帯域のＦＰＵ用アンテナが提供できる。
【０００９】
また上記構成の水平偏波無指向性アンテナ装置において、前記アンテナ基板は、前記アンテナ基板の板面に沿う面内方向の向きを、前記アンテナ基板相互を周方向に所定角度異ならせて前記アンテナベースに保持させる指向調整手段を有していることを特徴とする。
【００１０】
この構成により、複数のアンテナ基板を用いて水平面内指向性のリップルを低減した無指向性アンテナが提供できる。
【００１１】
また上記構成の水平偏波無指向性アンテナ装置において、前記アンテナは、前記給電点に一端が導電接続された給電線路と、前記給電線路の他端に導電接続されたアンテナ素子と、前記アンテナ素子に対応させて設けられた無給電素子と、を備えることを特徴とする。
【００１２】
この構成により、アンテナの特性（帯域、利得など）をアンテナ装置に要求される特性に調整することができる。
【図面の簡単な説明】
【００１３】
【図１】本発明の実施形態に係る水平偏波無指向性アンテナ装置の構成を示す斜め上方からみた斜視図。
【図２】上記実施形態に係る水平偏波無指向性アンテナ装置の構成を示す斜め下方からみた斜視図。
【図３】上記実施形態に係るアンテナ素子基板の表面の構成を示す図。
【図４】上記実施形態に係るアンテナ素子基板の裏面の構成を示す図。
【図５】上記実施形態に係る水平偏波無指向性アンテナ装置の実装例と給電構造を示す模式図。
【図６】上記実施形態に係る水平偏波無指向性アンテナ装置のＶＳＷＲ特性を示す図。
【図７】上記実施形態に係る水平偏波無指向性アンテナ装置の放射パターンを示す図。
【発明を実施するための形態】
【００１４】
以下図面を参照して本発明の実施形態を説明する。
【００１５】
この実施形態に係る水平偏波無指向性アンテナ装置の具体的な説明をするに際し同アンテナ装置の概要を説明する。この実施形態では、無線伝送周波数帯をデジタル無線伝送機器（ＦＰＵ）の水平偏波無指向性アンテナ装置を例に挙げている。この水平偏波無指向性アンテナ装置は、円形の基板上に３つのダイポールアンテナを１２０°間隔で配置することによって、水平偏波を無指向に放射させている（図１および図２参照）。また、ダイポールアンテナ単体では十分な帯域特性あるいは利得が得られないため、それぞれのアンテナ素子に無給電素子を設けて広帯域特性あるいはより高い利得を実現している（図３参照）。ダイポールアンテナへの給電は基板中央に設けた給電点から３分配された平行線路で行われている。また水平方向に５ｄＢｉ以上の利得を得るため、同一構成のアンテナ基板を４枚用いてアレイ化している。これらアンテナ基板の間隔の設定および保持は、同基板を囲むように等間隔で配置された３本の支柱で行っている。アンテナ基板への給電は第１分配基板と２枚の給電基板（第２分配基板）とを用いたトーナメント方式で行っている。給電構造はコネクタから第２分配基板までの接続を同軸ケーブルで行い、第２分配基板とアンテナ基板の接続はマイクロストリップラインにより行っている（図１および図２と図５参照）。
【００１６】
このアンテナ構造により、ＶＳＷＲが１５％の範囲で２以下（図６参照）、水平面内指向性のリップルを２ｄＢ以下（図７参照）とした広帯域無指向性アンテナを実現している。またアンテナ径を導波管を用いた従来品より約１０％（５０ｍｍ）小径化し、全長を５％（１９０ｍｍ）短縮し、重量を５０％軽量化（３９０ｇ）して小型・軽量化を図っている。
【００１７】
本発明の実施形態に係る水平偏波無指向性アンテナ装置の構成を図１および図２に示し、このアンテナ装置の構成要素をなすアンテナ基板の構成を図３および図４に示し、上記アンテナ装置の実装例と給電構造を図５に模式図で示している。
【００１８】
図１および図２に示すように、本発明の実施形態に係る水平偏波無指向性アンテナ装置１０は、給電点ｆｐを有し、複数（ここでは３つ）のダイポールアンテナ１１を給電点ｆｐを中心に放射状に設けた対をなす同一構成の第１、第２のアンテナ基板１２，１２と、これら対をなすアンテナ基板１２，１２相互の間に、上記アンテナ基板１２，１２の板面に直交した状態で上記給電点ｆｐ間に亘って設けられ、上記給電点ｆｐに導電接合された給電基板１４と、上記アンテナ基板１２，１２相互を対向させて平行に保持するとともに、上記給電点ｆｐを対をなすアンテナ基板１２，１２を貫通する同一直線上（図５に示す符号ＶＤ参照）に位置決めして配置させる複数本（ここでは３本）の支柱１６，１６，…と、上記給電点ｆｐに給電する外部接続用のコネクタ１０Ｃを有し、上記３本の支柱１６，１６，…が上記コネクタ１０Ｃを中心にその周囲に等間隔に立設されたアンテナベース１０Ａとを具備して構成される。アンテナベース１０Ａのアンテナ支持面には、アンテナ特性に係わる指向性、利得、ＶＳＷＲなどの測定結果から定めたサイズの円板状電波吸収体シート１８が貼着され、アンテナベース１０Ａの周縁部には、水平偏波無指向性アンテナ装置１０を航空機の機体底部に据え付けるための複数のボルト貫通孔Ｈが設けられている。
【００１９】
円形のアンテナ基板１２には、図３および図４に示すように、板面の周縁部に、同基板をアンテナベース１０Ａに固定するための支柱１６のねじ部が貫通する３つの第１取付孔ｈａと３つの第２取付孔ｈｂがそれぞれ同一円周上に交互に等間隔で設けられている。この３つの第１取付孔ｈａと３つの第２取付孔ｈｂは、ダイポールアンテナ１１の上記板面に沿う面内方向の向きを、対をなすアンテナ基板１２，１２相互間で給電点ｆｐを中心とした周方向に所定角度（ここでは６０°）異ならせて支柱１６，１６，…に保持させる指向調整手段を構成している。
【００２０】
また上記アンテナ基板１２には、図３および図４に示すように、表面１２ａと裏面１２ｂのそれぞれに、板面の中央を給電点ｆｐとした同一形状のダイポールアンテナを構成するアンテナパターン（ダイポールアンテナとなる導電性材料（たとえば銅箔）からなるパターン）が設けられ、この表裏両板面１２ａ，１２ｂのアンテナパターンと表面１２ａに印刷された無給電素子パターンとにより３つの水平偏波ダイポールアンテナ１１，１１，１１が形成されている。アンテナ基板１２の表面１２ａに給電側のアンテナパターンが形成され、その裏面１２ｂにグランド（ＧＮＤ）側のアンテナパターンが形成されている。
【００２１】
このダイポールアンテナ１１は、同アンテナの給電点ｆｐから放射状に延長された給電線路１１ａと、この給電線路１１ａから折曲し延長されたアンテナ素子１１ｂとを有した同一形状のアンテナパターンがアンテナ基板１２の両板面１２ａ，１２ｂに給電線路１１ａを重ねた線対称（図３に波線で示す符号１１ｂ参照）に形成されている。上記両板面１２ａ，１２ｂの給電線路１１ａはインピーダンスが一定の平行線路を形成している。またアンテナ基板１２の表面１２ａにはアンテナ素子１１ｂの水平面内指向方向に間隙を存して同素子と平行に無給電素子１１ｃを構成する無給電素子パターンが形成されている。この無給電素子１１ｃは導波素子を構成し、水平偏波の指向特性を調整している。上記した３つの水平偏波ダイポールアンテナ１１，１１，１１の各給電線路１１ａが集結するアンテナ基板１２の中心部に、同基板の板面に直交して設けられる給電基板１４の給電端（後述するマイクロストリップラインの端部）にはんだ接合されるスルーホールが設けられ、給電点ｆｐを構成している。
【００２２】
さらに上記アンテナ基板１２には、給電線路１１ａ相互間の板面（給電点ｆｐ近傍の板面）に、後述する給電用同軸ケーブル１５が貫通する複数（ここでは３つ）のケーブル貫通孔ｈｃが穿設されている。このケーブル貫通孔ｈｃを用いて、コネクタ１０Ｃと分配基板１３との間、および分配基板１３と給電基板１４との間の同軸ケーブル１５の配線を行うことで、４枚のアンテナ基板１２，１２，…に対して分配給電路を最短にした低損失の給電回路が構築される。
【００２３】
上記した対をなすアンテナ基板１２，１２は、互いに裏面１２ｂが向かい合う状態で、その一方のアンテナ基板１２が第１取付孔ｈａを用い、他方のアンテナ基板１２が第２取付孔ｈｂを用いて、それぞれ３本の支柱１６，１６，…に保持されている。このように、対をなすアンテナ基板１２，１２を取付孔を異ならせて支柱１６，１６，…に保持することで、ダイポールアンテナ１１，１１，…の上記板面に沿う面内方向の向きを、対をなすアンテナ基板１２，１２相互間で給電点ｆｐを中心とした周方向に６０°異ならせて保持させることができ、これにより水平面内指向性のリップルを低減して水平偏波の無指向性を実現している。また、上記各アンテナ基板１２，１２，…をその周囲を囲むように周方向に等間隔で設けられた３本の支柱１６，１６，…により均等に保持する基板保持構造として、外部応力に強い堅牢なアンテナ構造を実現している。
【００２４】
この実施形態では、上記第１、第２のアンテナ基板１２，１２と上記給電基板１４と上記支柱１６および支柱１６に取り付けられたホルダ１７とにより一組のアンテナモジュールＤＡを構成し、このアンテナモジュールＤＡを複数組（ここでは２組）具備するとともに、上記コネクタ１０Ｃに接続された給電ケーブル１５と、この給電ケーブル１５に接続された分配基板１３とを具備して、上記２組のアンテナモジュールＤＡ，ＤＡを分配基板１３を介在して上記同一直線上を軸にスタックした構成としている。この２組のアンテナモジュールＤＡ，ＤＡにより上記同一直線上に沿う方向（垂直面内）に４枚のアンテナ基板１２，１２，…が一軸上に配列されたアレイアンテナを構成している。この一軸上にスタックされたアンテナモジュールＤＡ，ＤＡが円筒状のレドーム（カバー）１０Ｂに収められアンテナベース１０Ａに固定されて水平偏波無指向性アンテナ装置１０が構成される。この水平偏波無指向性アンテナ装置１０は、アンテナベース１０Ａが航空機の機体外底部にボルト締めされることで図５に示すようにレドーム１０Ｂの先端を下に向け機体外部に露出した状態で取り付けられる。
【００２５】
上記水平偏波無指向性アンテナ装置１０は、分配基板１３を第１分配基板、２つの給電基板１４，１４を第２分配基板として、４枚のアンテナ基板１２，１２，…に給電が行われる。
【００２６】
第１分配基板となる分配基板１３は、同軸ケーブル１５が接続される３つの分配端子Ｔ１，Ｔ２，Ｔ２を有し、コネクタ１０Ｃに同軸ケーブル１５を介して接続された分配端子Ｔ１を入力端として、２つの分配端子Ｔ２，Ｔ２に同軸ケーブル１５を介して分配給電を行う。この際、同軸ケーブル１５はそれぞれアンテナ基板１２の中央近傍に設けられたケーブル貫通孔ｈｃを介し最短距離で配線される。
【００２７】
第２分配基板となる矩形状の給電基板１４は、一面に給電パターンｐａを配し、他面にグランドパターンｐｂを配したマイクロストリップライン（以下単にストリップ線と称す）を有し、このストリップ線の両端がそれぞれ対をなすアンテナ基板１２，１２の給電点ｆｐにはんだ接合されている。このストリップ線は、同線を二分したストリップ線の中間部に給電分配点となる分配端子Ｔ３を有して、ストリップ線を介し各給電点ｆｐ，ｆｐに分配給電を行う。
【００２８】
この給電回路を図５に模式図で示している。この図５に示すように、コネクタ１０Ｃから分配端子Ｔ３までの間（１０Ｃ−Ｔ１−Ｔ２−Ｔ３）の給電路に同軸ケーブル１５を用い、給電基板１４の分配端子Ｔ３から対をなすアンテナ基板１２，１２の給電点ｆｐまでの間の給電路に、給電基板１４に形成したストリップ線の二分された片半部を用い、さらにストリップ線の端をアンテナ基板１２の中心部に設けた給電点ｆｐに直交配置した状態で直にはんだ接合することで、コネクタ１０Ｃと２組のアンテナモジュールＤＡ，ＤＡに設けられた各給電基板１４、１４、および各アンテナ基板１２，１２の各給電点ｆｐ，ｆｐ，…とを上記同一直線上に相当する一軸（ＶＤ）上に配置した、コンパクトで空気抵抗が小さいスリムな円筒形の水平偏波無指向性アンテナ装置１０を実現し提供できる。
【００２９】
上記実施形態の構成により実際に製作した水平偏波無指向性アンテナ装置１０のＶＳＷＲ（電圧定在波比）特性を図６に示している。上記した無給電素子１１ｃおよび給電回路の調整により、１５％の範囲でＶＳＷＲが２以下となった。このアンテナ装置のＶＳＷＲにおけるｆ１，ｆ２の放射パターンを図７（ａ），（ｂ）に示している。測定結果から明らかなように、水平面内指向性のリップルが２ｄＢ以下となり、水平偏波の指向特性が大幅に改善された水平偏波無指向性アンテナ１０が実現された。
【００３０】
上記実施形態に示したように、給電点を有し、複数のダイポールアンテナを上記給電点を中心に放射状に設けた第１、第２のアンテナ基板と、これらアンテナ基板相互間に、上記アンテナ基板の板面に直交した状態で上記給電点間に亘って設けられ、上記給電点に導電接続された給電基板と、上記給電点に給電する外部接続用のコネクタを有したアンテナベースと、このアンテナベースに、上記アンテナ基板相互を対向させて平行に保持するとともに、上記給電点を上記アンテナ基板を貫通する同一直線上に配置させる基板保持手段とを具備した構成により、軽量かつコンパクトで、ＣバンドからＤバンド（６，４２５ＭＨｚ〜７，１２５ＭＨｚ）に跨る周波数帯域幅の広い水平偏波無指向性アンテナ装置が提供できる。
【００３１】
また上記構成の水平偏波無指向性アンテナ装置において、上記第１、第２のアンテナ基板と上記給電基板とにより一組のアンテナモジュールを構成し、このアンテナモジュールを複数組具備するとともに、上記コネクタに接続された給電ケーブルと、上記給電ケーブルに接続された分配基板とをさらに具備して、上記複数組のアンテナモジュールを上記同一直線上に上記分配基板を介在してスタックした構成により、少なくとも４枚のアンテナ基板をアレイ化した、水平方向により広帯域のＦＰＵ用アンテナが提供できる。
【００３２】
また上記構成の水平偏波無指向性アンテナ装置において、上記ダイポールアンテナは、上記給電点から放射状に延長された給電線路と、上記給電線路から折曲し延長されたアンテナ素子とを有した同一形状の導電性材料からなるパターンが上記アンテナ基板の両板面に上記給電線路を重ねた線対称に形成され、一方の板面に上記アンテナ素子に対応させて無給電素子を構成する導電性材料からなるパターンが並置されていることにより、使用するアンテナ基板のすべてを同一構成として部品点数を削減した軽量でコンパクトな水平面内無指向性のダイポールアンテナ装置が提供できる。
【００３３】
また上記構成の水平偏波無指向性アンテナ装置において、上記アンテナ基板は上記ダイポールアンテナの上記板面に沿う面内方向の向きを、上記アンテナ基板相互間で上記給電点を中心とした周方向に所定角度異ならせて上記支柱に保持させる指向調整手段を有し構成により、同一構成の複数のアンテナ基板を用いて水平面内指向性のリップルを低減した無指向性ダイポールアンテナが提供できる。
【００３４】
また上記構成の水平偏波無指向性アンテナ装置において、上記給電基板は、一面に給電パターンを配し、他面にグランドパターンを配したマイクロストリップラインを有し、上記マイクロストリップラインの中間部に分配給電点を有して、二分された片方のマイクロストリップラインを介し上記給電点に給電する分配基板を構成していることにより、対をなすアンテナ基板に対して簡素な給電構造で低損失の分配給電を可能にした経済的に有利な構成の水平偏波無指向性アンテナ装置を提供することができる。
【００３５】
また上記構成の水平偏波無指向性アンテナ装置において、上記アンテナ基板は、上記マイクロストリップラインの端部にはんだ接合されるスルーホールを有し、そのはんだ接合部を上記給電点として、上記給電点を中心に円板状に形成され、上記アンテナ基板に１２０°間隔で３つの上記ダイポールアンテナを設けた構成により、外観形状を円筒にした小型かつ堅牢で複数バンドに跨る水平偏波を無指向に放射させることのできる水平偏波無指向性アンテナ装置が提供できる。
【００３６】
また上記構成の水平偏波無指向性アンテナ装置において、上記アンテナ基板は、同基板の周部に、周方向に等間隔に、同基板を貫通して、上記指向調整手段を構成する複数の取付孔を有し、上記基板保持手段は、上記取付孔に挿通されて上記アンテナ基板を上記アンテナベースに固定する複数本の支柱により構成されていることにより、上記各アンテナ基板をその周囲を囲むように複数本の支柱で均等に保持する基板保持構造を有して、外部応力に強い堅牢なアンテナ構造を実現した水平偏波無指向性アンテナ装置が提供できる。
【００３７】
以上詳記したように本発明の実施形態によれば、軽量かつコンパクトで周波数帯域特性に優れた高性能の水平偏波無指向性アンテナ装置が提供できる。
【００３８】
また、上記した実施形態は、航空機などの飛翔体に搭載されるＦＰＵの送受信アンテナに適用して好適な構成としているが、例えば外筐構造を変形して若しくは実施形態と同様に円筒方のドーム構造として、車両や船舶などの移動体や地上の固定局などにも適用することができる。
【００３９】
また、上記した実施形態では、アンテナモジュールＤＡを２組実装したアンテナ構造であったが、これに限らず、例えばアンテナモジュールＤＡを４組実装したアンテナ構造であってもよい。また、アンテナ基板１２の基板形状やパターン形状も図示する形状に限らず、例えば基板形状を多角形とし、アンテナ素子のパターン形状を弧状としり若しくは素子相互で長さを違えたりした基板構造であってもよい。また、アンテナモジュールＤＡを構成する基板相互の配置並びに接続構造、給電構造、支持構造なども本発明の要旨を逸脱しない範囲で種々の変形、変更が可能である。
【００４０】
以上、実施形態を例に本発明を説明したが、各要素の構成については本発明の要旨を逸脱しない範囲で種々の変形、変更が可能である。以下、変形例について触れる。
【００４１】
変形例１：上記実施形態ではアンテナとしてダイポールアンテナを用いているが、他のアンテナ、たとえば円形や多角形のパッチアンテナなど、基板上に形成するのに適したアンテナであれば、どのようなアンテナを用いてもよい。この構成により、要求される帯域（Ｃ、Ｄバンド以外の帯域も含む）や利得に適したアンテナを形成した水平偏波無指向性アンテナ装置が提供できる。
【００４２】
変形例２：上記実施形態では基板上に３つのアンテナを１２０°間隔で配置しているが、４つ以上のアンテナをより狭い間隔（たとえば、４つのアンテナを９０°間隔）で配置してもよい。この構成により、単体ではビーム幅が狭い（指向性が鋭い）アンテナを用いた場合であっても、全体として無指向性の水平偏波無指向性アンテナ装置が提供できる。
【００４３】
変形例３：上記実施形態では複数の同一形状のアンテナを基板上に形成しているが、各アンテナは同一形状（形状には大きさも含むものとする、以下同じ）でなくてもよい。たとえば、基板上に２種類の形状のアンテナを交互に形成して、帯域特性を異にしたアンテナを組み合わせ配置した構成としてもよい。この構成により、同一形状のアンテナからなる場合よりも広帯域化された水平偏波無指向性アンテナ装置が提供できる。
【００４４】
変形例４：上記の実施形態では基板上に複数のアンテナを等角度間隔で配置しているが、複数のアンテナを不等角度間隔で配置してもよい。たとえば、指向性の異なる複数のアンテナを用い、ビーム幅に応じた角度間隔で各アンテナを配置することにより、アンテナ装置全体として水平偏波無指向性を示す水平偏波無指向性アンテナ装置が提供できる。
【００４５】
変形例５：上記実施形態では外部接続用のコネクタを介して給電点にアンテナ装置外部からの電力を供給しているが、これ以外の給電方法であってもよい。たとえば、同軸ケーブルをアンテナ装置の外部に直接導出して外部から電力を供給する構造とすることで、コネクタを不要にして、より軽量化を図ることができ、またはアンテナ装置に（ドーム内に）電源を設けた構造とすることで、外部電源を不要にした水平偏波無指向性アンテナ装置が提供できる。
【００４６】
変形例６：上記実施形態では、アンテナ基板を相互に対向させて平行に保持しているが、アンテナ基板相互が対向していればよく平行でなくてもよい。たとえば、アンテナ基板相互が平行の場合を０°としたときに、０°から４５°の範囲内で傾けて保持してもよい。要はアンテナ装置全体で水平面無指向性を達成すればよく、これにより組込みの自由度の高い水平偏波無指向性アンテナ装置を提供することができる。
【００４７】
変形例７：上記実施形態ではアンテナモジュールを分配基板を介在して同一直線上を軸にスタックした構成としているが、これ以外の構成であってもよい。上記の実施形態では、アンテナモジュールが円筒状のレドーム（カバー）に収められているが、たとえば、途中で曲がりや屈折などをしているカバーにアンテナモジュールを収める場合は、アンテナモジュールを同一直線上を軸にスタックせず、カバーに沿ってスタックしてもよく、これにより設置場所に応じた、形状の自由度の高い構成の水平偏波無指向性アンテナ装置が提供できる。
【００４８】
変形例８：上記実施形態では給電点はアンテナ基板中央に設けられているが、アンテナ装置全体で無指向性を有するのであれば、アンテナ基板中央以外に設けてもよい。たとえば、大きさの異なる複数のアンテナをアンテナ基板に設ける場合に給電点をアンテナ基板中央からずらして設けることが挙げられる。これにより種類や大きさの異なるアンテナを組み合わせた自由度の高い水平偏波無指向性アンテナ装置が提供できる。
【符号の説明】
【００４９】
１０…水平偏波無指向性アンテナ、１０Ａ…アンテナベース、１０Ｂ…レドーム（カバー）、１０Ｃ…コネクタ、１１…ダイポールアンテナ、ｆｐ…給電点、１１ａ…給電線路、１１ｂ…アンテナ素子、１１ｃ…無給電素子、１２…アンテナ基板、１３…分配基板（第１分配基板）、１４…給電基板（第２分配基板）、Ｔ１，Ｔ２，Ｔ３…分配端子、１５…同軸ケーブル、１６…支柱、１７…ホルダ、ＤＡ…アンテナモジュール。
【図１】
0006630609.tif 000002
【図２】
0006630609.tif 000003
【図３】
0006630609.tif 000004
【図４】
0006630609.tif 000005
【図５】
0006630609.tif 000006
【図６】
0006630609.tif 000007
【図７】
0006630609.tif 000008